(57)【要約】【課題】コネクタのハウジングが筐体に取付けられたことを、クリック感という触覚のみならず、視覚によっても確認し、二重の保障を図ることができるコネクタのスライド式取付構造を提供する。【解決手段】コネクタ１は、ピン側コネクタ２とソケット側コネクタ６とから構成される。コネクタをシャーシ１１の表面に平行にスライドさせ、ピン側コネクタのインシュレータ３の一対の溝３Ａをシャーシの一対の突出部１１Ａの横部にはめ込む。更に、コネクタのスライドを進めると、左右の被ロック突起３Ｂが左右の突出部の各第１のロック突起１１Ｂに当接する。一層、コネクタのスライドを進めると、各被ロック突起は、各第１のロック突起を乗り越えて、左右の突出部の各被ロック突起受け１１Ｃまで移動する。このとき、操作者は、クリック感を触覚する。その上、操作者は、インシュレータの先端面又は後端面と各突出部の先端面又は後端面との合致を、視覚によって確認する。【選択図】　　　図１
2004071419.tif 000002
【特許請求の範囲】
【請求項１】
コネクタのハウジングの両側に一対の溝が形成され、前記各溝は、前記各溝内に被ロック突起を有し、
筐体は、断面略Ｌ字形状の突出部を一対有し、前記各突出部は、対向するように配設され、
前記各突出部の対向する各端面に、一対のロック突起と前記各ロック突起の間に位置する被ロック突起受けとが形成され、
前記ハウジングを前記筐体にスライドさせて取付ける際、前記各被ロック突起が前記各一対のロック突起のうちの一方を乗り越えて前記各被ロック突起受けと係合し、
前記ハウジングの先端面又は後端面と前記各突出部の先端面又は後端面とが合致することを特徴とするコネクタのスライド式取付構造。
【発明の詳細な説明】
【０００１】
【発明の属する技術分野】
本発明は、ケーブルと他のケーブルとの中継等用のコネクタに関し、特にシャーシ等の筐体への取付完了の確認を容易に行うことができるコネクタのスライド式取付構造に関する。
【０００２】
【従来の技術】
従来のコネクタのスライド式取付構造について図３を参照して説明する。
【０００３】
ピン側コネクタ２１のインシュレータ（ハウジング）２２は、図３（ａ）に示されるように、直方体形状に構成される。インシュレータ２２の一外面には、中央に被ロック突起２２Ａと、被ロック突起２２Ａの両側に断面Ｌ字形状の突出部２２Ｂとが一体に形成される。なお、インシュレータ２２に保持されるコンタクトは、図示を省略されている。
【０００４】
シャーシ３１には、図３（ｂ）に示されるように、断面Ｔ字形状の突出部３２が設けられ、突出部３２の中央には、孔３２Ａが形成されている。
【０００５】
コネクタ２１をシャーシ３１に取付ける操作は、次のように行われる。まず、図３（ａ）に示されるピン側コネクタ２１のインシュレータ２２を、矢印▲１▼に示されるように、１８０°表裏反転する。次に、インシュレータ２２を矢印▲２▼方向へシャーシ３１の表面に平行にスライドさせる。更に、インシュレータ２２の一対の突出部２２Ｂが、図３（ｃ）に示されるように、シャーシ３１の突出部３２にはまるようにスライドを進める。更に、スライドを進めると、図３（ｄ）に示されるように、インシュレータ２２の突起２２Ａは、突出部３２の孔３２Ａに入り込む。このとき、コネクタ２１をシャーシ３１に取付ける操作は、完了する。操作者は、操作の完了を、突起２２Ａが孔３２Ａに入り込んだときに発生するクリック感によって触覚することができる。
【０００６】
なお、この種のコネクタは、特開平６−２２３９２１号公報に記載されている。
【０００７】
【発明が解決しようとする課題】
前記従来のコネクタのスライド式取付構造においては、作業者は、ピン側コネクタ２１のシャーシ３１への取付完了を、クリック感のみによって認識している。したがって、コネクタ２１のシャーシ３１への取付が完了していないにもかかわらず、作業者は、完了したものと勘違いするという欠点が生じる。
【０００８】
そこで、本発明は、前記従来の技術の欠点を改良し、コネクタのインシュレータ等のハウジングがシャーシ等の筐体に取付けられたことを、クリック感という触覚のみならず、視覚によっても確認し、二重の保障を図ることができるコネクタのスライド式取付構造を提供しようとするものである。
【０００９】
【課題を解決するための手段】
本発明は、前記課題を解決するため、次の手段を採用する。
【００１０】
コネクタのハウジングの両側に一対の溝が形成され、前記各溝は、前記各溝内に被ロック突起を有し、筐体は、断面略Ｌ字形状の突出部を一対有し、前記各突出部は、対向するように配設され、前記各突出部の対向する各端面に、一対のロック突起と前記各ロック突起の間に位置する被ロック突起受けとが形成され、前記ハウジングを前記筐体にスライドさせて取付ける際、前記各被ロック突起が前記各一対のロック突起のうちの一方を乗り越えて前記各被ロック突起受けと係合し、前記ハウジングの先端面又は後端面と前記各突出部の先端面又は後端面とが合致するコネクタのスライド式取付構造。
【００１１】
【発明の実施の形態】
本発明の一実施の形態例のコネクタのスライド式取付構造について図１と図２を参照して説明する。
【００１２】
図１（ａ）は、コネクタ１におけるピン側コネクタ２のインシュレータ（ハウジング）３の斜視図、図１（ｂ）は、コネクタ１が取付けられるシャーシ１１の斜視図、図１（ｃ）は、ピン側コネクタ２とソケット側コネクタ６とが嵌合した状態の斜視図を、それぞれ示す。
【００１３】
ピン側コネクタ２のインシュレータ３は、略直方体形状に構成される。インシュレータ３の下部両側には、断面コ字形状の溝３Ａが対称に形成され、各溝３Ａの中央に被ロック突起３Ｂが各溝３Ａの底面から突出するように形成される。なお、インシュレータ３に保持される複数本のコンタクトは、図示を省略されている。
【００１４】
シャーシ１１には、１枚の金属板から切り起しプレス加工によって一対の断面Ｌ字形状の突出部１１Ａが対向して対称に形成される。各突出部１１Ａの中央には、一対のロック突起１１Ｂが形成され、各一対のロック突起１１Ｂの間は、後述するように被ロック突起受け１１Ｃとなる。
【００１５】
ピン側コネクタ２のインシュレータ３とシャーシ１１との寸法関係の設定を説明する。一対の突出部１１Ａの縦部間の寸法Ｗ３は、インシュレータ３の幅Ｗ１よりも僅かに大きい。一対の被ロック突起受け１１Ｃ間の寸法Ｗ４は、一対の被ロック突起３Ｂの先端間の寸法Ｗ２よりも僅かに大きい。一対のロック突起１１Ｂの先端間の寸法Ｗ５は、Ｗ２よりも僅かに小さい。各溝３Ａの幅Ｔ１は、各突出部１１Ａの横部の厚さ（すなわちシャーシ１１の板厚）Ｔ２よりも僅かに大きい。
【００１６】
ピン側コネクタ２とソケット側コネクタ６とが嵌合すると、コネクタ１は図１（ｃ）の状態に至る。ピン側コネクタ２のインシュレータ３に保持される複数本のコンタクトには、それぞれケーブル４が接続され、また、ソケット側コネクタ６のインシュレータ７に保持される複数本のコンタクト（図示せず）には、それぞれケーブル８が接続されている。
【００１７】
コネクタ１をシャーシ１１に取付ける操作は、次のように行われる。ただし、ケーブル４，８の図示を省略する。作業者は、手指によってコネクタ１をシャーシ１１の表面に平行にスライドさせ、図２（ａ）に示されるように、インシュレータ３の一対の溝３Ａをシャーシ１１の一対の突出部１１Ａの横部にはめ込む。更に、コネクタ１のスライドを進めると、左右の被ロック突起３Ｂが左右の第１のロック突起１１Ｂに当接する。一層、コネクタ１のスライドを進めると、左右の被ロック突起３Ｂは、左右の第１のロック突起１１Ｂを乗り越えて、図２（ｂ）と（ｃ）に示されるように、左右の各被ロック突起受け１１Ｃまで移動する。このとき、操作者は、クリック感を触覚することができる。これ以上のコネクタ１のスライドは、左右の被ロック突起３Ｂが左右の第２のロック突起１１Ｂに当接するため、通常阻止される。
【００１８】
操作者は、前述したようにクリック感の触覚によってコネクタ１がシャーシ１１の所定の位置に取付けられたことを確認することができると同時に、図２（ｂ）に示されるように、コネクタ１の先端面とシャーシ１１の各突出部１１Ａの先端面とが合致したことを視覚によって認識し、コネクタ１がシャーシ１１の所定の位置に取付けられたことを二重に確認することができる。なお、コネクタ１の先端面とシャーシ１１の突出部１１Ａの先端面とに代えて、各後端面同士が合致したことを視覚によって認識しても、同じ目的が達成される。
【００１９】
【発明の効果】
以上の説明から明らかなように、本発明によれば、次の効果が奏される。
【００２０】
１．コネクタが筐体の所定の位置までスライドして取付けが完了したか否かを、クリック感という触覚と視覚とによって二重に容易に確認することができる。
【００２１】
２．従来のコネクタと筐体に簡素な改造を施すのみで所期の目的を達成することができる。
【００２２】
３．従来のコネクタのスライド式取付構造と対比して、部品点数は増加せず、また、コストは高価にならない。
【図面の簡単な説明】
【図１】本発明の一実施の形態例のコネクタのスライド式取付構造の諸斜視図であり、（ａ）はピン側コネクタのインシュレータ、（ｂ）はシャーシ、（ｃ）はピン側コネクタとソケット側コネクタとが嵌合した状態を、それぞれ示す。
【図２】同実施の形態例の諸図であり、（ａ）は同コネクタが同シャーシに対してスライドする途中の状態の前面図、（ｂ）は同コネクタの同シャーシへの取付完了状態の前面図、（ｃ）は同コネクタの同シャーシへの取付完了状態の側面図を、それぞれ示す。
【図３】従来のコネクタのスライド式取付構造の諸図であり、（ａ）はピン側コネクタのインシュレータの斜視図、（ｂ）はシャーシの斜視図、（ｃ）は同インシュレータが同シャーシに対してスライドする途中の状態の断面図、（ｄ）は同インシュレータの同シャーシへの取付完了状態の断面図を、それぞれ示す。
【符号の説明】
１　　コネクタ
２　　ピン側コネクタ
３　　インシュレータ（ハウジング）
３Ａ　　溝
３Ｂ　　被ロック突起
４　　ケーブル
６　　ソケット側コネクタ
７　　インシュレータ（ハウジング）
８　　ケーブル
１１　　シャーシ
１１Ａ　　突出部
１１Ｂ　　ロック突起
１１Ｃ　　被ロック突起受け
【図１】
2004071419.tif 000003
【図２】
2004071419.tif 000004
【図３】
2004071419.tif 000005